(57)【要約】      （修正有）【課題】軽量小型で使い勝手のよい電気掃除機用背負い具を提供する。【解決手段】電気掃除機を搭載するＬ字型背負い具本体Ａ、電気掃除機を垂直に立てた状態で上下に固定し、Ｌ字型背負い具本体に取り付けられ、長さ調整機能付きストッパー部材７ａを有する縦固定用Ｙ字型伸縮ベルト、電気掃除機の胴部をＬ字型背負い具本体に水平に固定し、Ｌ字型背負い具本体に取り付けられ、長さ調整機能付きストッパー部材を有する横固定用伸縮ベルト及び最上端部に一個の外れ止めフック６ａを設け、そのフックの下部から二本に分かれる左右の背負いバンドであって、各バンドの最下端部に着脱可能な二つの外れ止めフック６ｂを設け、人体腰部にＬ字型背負い具を固定密着させる腰部ベルト１２を取り付けた背負いバンドからなる電気掃除機用背負い具。【選択図】図７
2006305248.tif 000002
【特許請求の範囲】
【請求項１】
（ｉ）電気掃除機を搭載するＬ字型背負い具本体、（ｉｉ）電気掃除機を垂直に立てた状態で上下に固定し、Ｌ字型背負い具本体に取り付けられ、長さ調整機能付きストッパー部材を有する縦固定用Ｙ字型伸縮ベルト、（ｉｉｉ）電気掃除機の胴部をＬ字型背負い具本体に水平に固定し、Ｌ字型背負い具本体に取り付けられ、長さ調整機能付きストッパー部材を有する二本の横固定用伸縮ベルト及び（ｉＶ）最上端部に一個の外れ止めフックを設け、そのフックの下部から二本に分かれる左右の背負いバンドであって、各バンドの最下端部に着脱可能な二つの外れ止めフックを設け、人体腰部にＬ字型背負い具を固定密着させる腰部ベルトを取付けた背負いバンドからなる電気掃除機用背負い具。
【請求項２】
（ｉｉ）の縦固定用Ｙ字型伸縮ベルトが、該縦固定用Ｙ字型伸縮ベルト枝分かれ部分の二つの先端をそれぞれ背負い具本体の縦固定用Ｙ字型伸縮ベルト取り付け部に縫い合わることにより装着固定され、Ｙ字の下端は背負い具本体の下部縦固定用Ｙ字型伸縮ベルト取り付け部において折り返して、長さ調整機能付きストッパー部材で締めて装着固定される請求項１に記載の電気掃除機用背負い具。
【請求項３】
（ｉｉ）の縦固定用Ｙ字型伸縮ベルトが、該縦固定用Ｙ字型伸縮ベルト枝分かれ部分の二つの先端をそれぞれ背負い具本体の縦固定用Ｙ字型伸縮ベルト取り付け部にボタンで止めることにより装着固定され、Ｙ字の下端は背負い具本体の下部縦固定用Ｙ字型伸縮ベルト取り付け部において折り返して、長さ調整機能用ストッパー部材で締めて装着固定される請求項１に記載の電気掃除機用背負い具。
【請求項４】
（ｉｉ）の縦固定用Ｙ字型伸縮ベルトが、該縦固定用Ｙ字型伸縮ベルト枝分かれ部分の二つの先端をそれぞれ背負い具本体の縦固定用Ｙ字型伸縮ベルト取り付け部にマジックテープで止めることにより装着固定され、Ｙ字の下端は背負い具本体の下部縦固定用Ｙ字型伸縮ベルト取り付け部において折り返して、長さ調整機能付きストッパー部材で締めて装着固定される請求項１に記載の電気掃除機用背負い具。
【発明の詳細な説明】
【技術分野】
【０００１】  本発明は、電気掃除機用Ｌ字型背負い具に関する。更に詳細には、本発明は、全ての一般的家庭用電気掃除機に対応でき、容易に電気掃除機を背負うことが可能な、高所及び階段・狭小の所などに使用勝手の良い、且つ小型で単純な構造の電気掃除機用の背負い具に関する。
【背景技術】
【０００２】  従来の電気掃除機は本体に取り付けた車で電気掃除機を移動させ、高所箇所の清掃には掃除機を持ち上げるか、椅子や台などに載せて使用しなければならないなど難点があった。その他にも、階段などの段差がある箇所での清掃の困難性、更に、電気掃除機の移動の困難な狭小箇所の清掃の困難性、延いては、これらから生じる身体に及ぼす負担は、主婦や高齢者にとって改良を必要とする問題として存在している。その後、天井、箪笥、洋服箪笥の上部等を清掃するため、電気掃除機と一体化した背負い式の電気掃除機の試みがなされた。また、電気掃除機と分離して単に背負い具を作成して、その背負い具に電気掃除機を搭載して、それを紐等で固定する試みも見られる。【０００３】  しかし、電気掃除機と一体化した背負い式掃除機では、予め電気掃除機に取り付け具を固定するための取り付け部を備えなければならず、また、この取り付け具は、この特定の掃除機にのみ取り付け可能である点で難点がある。この種の技術には、特開２００１−１８７０００号及び特開２０００４−２９０３４３号等がある。更に電気掃除機とは分離した単なる背負い具にして、これを電気掃除機用に改良したものとしては、登録実用新案第３１０４８０５号及び特許第３１１５８７５号がある。これらは、一般的な如何なる掃除機にも適用できる点で利点があるが、電気掃除機を搭載した場合の安定性、搭載方法及び背中との密着性等に難点がある。従って、構造が単純にして且つ安価で、操作上安定性があり、主婦や高齢者でも容易に搭載でき、小型軽量性を兼ね備えた電気掃除機用背負い具の必要性が存在する。【０００４】
【特許文献１】特開２００１−１８７０００号明細書
【特許文献２】特開２０００４−２９０３４３号明細書
【特許文献３】登録実用新案第３１０４８０５号明細書
【特許文献４】特許第３１１５８７５号明細書
【発明の開示】
【発明が解決しようとする課題】
【０００５】  本発明の一つの目的は、複雑な構造を省き、背負い具として背中に密着し、安定して電気掃除機を固定するＬ字型背負い具を提供する。【０００６】  本発明の他の目的は、軽量小型で使い勝手の良い電気掃除機用背負い具を提供することである。【０００７】  本発明の他の目的は、一般的に家庭で使用できる如何なる電気掃除機にも使用可能なＬ字型背負い具を提供することである。
【課題を解決するための手段】
【０００８】  本発明は、（ｉ）電気掃除機を搭載するＬ字型背負い具本体、（ｉｉ）電気掃除機を垂直に立てた状態で上下に固定し、Ｌ字型背負い具本体に取り付けられ、長さ調整機能付きストッパー部材を有する縦固定用Ｙ字型伸縮ベルト、（ｉｉｉ）電気掃除機の胴部をＬ字型背負い具本体に水平に固定し、Ｌ字型背負い具本体に取り付けられ、長さ調整機能付きストッパー部材を有する横固定用伸縮ベルト及び（ｉＶ）最上端部に一個の外れ止めフックを設け、そのフックの下部から二本に分かれる左右の背負いバンドであって、各バンドの最下端部に着脱可能な二つの外れ止めフックを設け、人体腰部にＬ字型背負い具を固定密着させる腰部ベルトを取付けた背負いバンドからなる電気掃除機用背負い具に関する。【０００９】  本発明の一態様は、（ｉ）電気掃除機を搭載するＬ字型背負い具本体（Ａ）、（ｉｉ）電気掃除機を垂直に立てた状態で上下に固定し、Ｌ字型背負い具本体に取り付けられ、長さ調整機能付きストッパー部材を有する縦固定用Ｙ字型伸縮ベルトであって、その縦固定用Ｙ字型伸縮ベルト枝分かれ部分の二つの先端がそれぞれ背負い具本体の縦固定用Ｙ字型伸縮ベルト取り付け部に縫い合わせにより装着固定され、Ｙ字の下端は背負い具本体の下部縦固定用Ｙ字伸縮ベルト取り付け部において折り返して、長さ調整機能付きストッパー部材で締めて装着固定される、（ｉｉｉ）電気掃除機の胴部をＬ字型背負い具本体に水平に固定し、Ｌ字型背負い具本体に取り付けられ、長さ調整機能付きストッパー部材を有する横固定用伸縮ベルト及び（ｉＶ）最上端部に一個の外れ止めフックを設け、そのフックの下部から二本に分かれる左右の背負いバンドであって、各バンドの最下端部に着脱可能な二つの外れ止めフックを設け、人体腰部にＬ字型背負い具を固定密着させる腰部ベルトを取り付けた背負いバンドからなる電気掃除機用背負い具に関する。【００１０】  本発明の他の態様は、（ｉ）電気掃除機を搭載するＬ字型背負い具本体、（ｉｉ）電気掃除機を垂直に立てた状態で上下に固定し、Ｌ字型背負い具本体に取り付けられ、長さ調整機能用ストッパー部材を有する縦固定用Ｙ字型伸縮ベルトであって、その縦固定用Ｙ字型伸縮ベルト枝分かれ部分の二つの先端がそれぞれ背負い具本体の縦固定用Ｙ字型伸縮ベルト取り付け部にボタンにより装着固定され、Ｙ字の下端は背負い具本体の下部縦固定用Ｙ字型伸縮ベルト取り付け部において折り返して、長さ調整機能付きストッパー部材で締めて装着固定される、（ｉｉｉ）、（ｉＶ）電気掃除機の胴部をＬ字型背負い具本体に水平に固定し、Ｌ字型背負い具本体に取り付けられ、長さ調整機能用ストッパー部材を有する横固定用伸縮ベルト及び（Ｖ）最上端部に一個の外れ止めフックを設け、そのフックの下部から二本に分かれる左右の背負いバンドであって、各バンドの最下端部に着脱可能な二つの外れ止めフックを設け、人体腰部にＬ字型背負い具を固定密着させる腰部ベルトを取り付けた背負いバンドからなる電気掃除機用背負い具に関する。【００１１】  本発明の更に他の態様は、（ｉ）電気掃除機を搭載するＬ字型背負い具本体、（ｉｉ）電気掃除機を垂直に立てた状態で上下に固定し、Ｌ字型背負い具本体に取り付けられ、長さ���整機能付きストッパー部材を有する縦固定用Ｙ字型伸縮ベルトであって、その縦固定用Ｙ字型伸縮ベルト枝分かれ部分の二つの先端がそれぞれ背負い具本体の縦固定用Ｙ字型伸縮ベルト取り付け部にマジックテープにより装着固定され、Ｙ字の下端は背負い具本体の下部縦固定用Ｙ字型伸縮ベルト取り付け部において折り返して、長さ調整機能付きストッパー部材で締めて装着固定される、（ｉｉｉ）、（ｉＶ）電気掃除機の胴部をＬ字型背負い具本体に水平に固定し、Ｌ字型背負い具本体に取り付けられ、長さ調整機能付きストッパー部材を有する横固定用伸縮ベルト及び（Ｖ）最上端部に一個の外れ止めフックを設け、そのフックの下部から二本に分かれる左右の背負いバンドであって、各バンドの最下端部に着脱可能な二つの外れ止めフックを設け、人体腰部にＬ字型背負い具を固定密着させる腰部ベルトを取り付けた背負いバンドからなる電気掃除機用背負い具に関する。
【発明を実施するための最良の形態】
【００１２】  本電気掃除機用背負い具は、図１に示されるよう、電気掃除機の吸引口を上部にして垂直に本電気掃除機用背負い具に固定され、本背負い具に装着され、（図６）の背負いバンドにより人の両肩に背負われ使用されるものである。  その際、電気掃除機は、（図４）の縦型固定用Ｙ型伸縮ベルトにより垂直方向に固定され、更に（図５）の横型固定用伸縮ベルトによりその胴部が水平の固定されている。【００１３】  （図２）の電気掃除機用Ｌ字型背負い具は、図で示されるように７本の骨格を有し、縦長の長方形部（Ｌ字垂直方向）と横長の長方形部（Ｌ字水平方向）とが直角に組み合わされてＬ型の背負い枠を構成する。  縦長長方形部の長辺をなす骨格の長さは約１９０〜２９０ｍｍ及び短辺をなす骨格の長さは約１３０〜１８０ｍｍである。  Ｌ字の底辺を構成する横長の長方形は長辺が約１３０〜１８０ｍｍ及び短辺が約１２０〜１７０ｍｍである。縦長長方形部には、上端の左右二つの隅に縦固定用Ｙ字型伸縮ベルト取り付け部（１ａ，１ａ）が枠内に取り付けられている。左右の縦固定用Ｙ字型伸縮ベルト取り付け部（１ａ、１ａ）に縦固定用Ｙ字型伸縮ベルト（３ａ）の枝分かれ部二本を装着固定し、縦固定用Ｙ字型伸縮ベルト（３ｂ）は本背負い具の下部中央の縦固定用Ｙ字型伸縮ベルト取り付け部（１ｂ）で折り返し、中間に設けた長さ調整機能付きストッパー部材（７ａ）で締め、本背負い具（Ａ）と電気掃除機を固定する。（Ａ）の中央部左右に横固定用伸縮ベルト取り付け部（２ａ、２ｂ）が枠内に取り付けられ、横固定用伸縮ベルト（３ｃ）の両端をそれぞれ（２ａ、２ｂ）に直接縫い合わせ装着固定する。（Ａ）は、直径が約５ｍｍ〜１２ｍｍの枠を構成する円柱状の枠棒から構成され、縦長長方形部と横長長方形部との接合部の横長長方形部側に、乙型湾曲部（５ａ，５ａ）が設けられ、掃除機の底面と本Ｌ字型背負い具との間に間隙が設けられた。これは、電気掃除機と本Ｌ字型背負い具を固定した後で、背負いバンドのフックを引っ掛け易くなるようにするためである。枠棒の材質は、耐久性を維持するため、鉄、アルミニウム及び硬質プラスチックス等の耐久材が好ましい。また、幅細の板状の枠板を使用しても良い。【００１４】  縦固定用Ｙ字型伸縮ベルト（３ａ，３ａ）は、Ｙ字型の形状をしており、材質はゴム等の弾力性のものでその上に布、樹脂などで被覆されている。そのＹ字型伸縮ベルト枝分かれ部分の二つの先端は、それぞれ背負い具本体の縦固定用Ｙ字伸縮ベルト取り付け部に縫い合わせにより装着固定される。又は本ゴムベルトの下部には、長さ調整機能用ストッパー部材（７ａ）を有しており、それによりその下部先端を背負い具の縦固定用Ｙ字型伸縮ベルト取り付け部（１ｂ）に通して先端を折り返し、本ストッパー部材で締めて電気掃除機を縦に固定する。上部先端は縫いあわせで取り付けられるよう布製のものである。代替的にこの布製の部分には、ボタンで止められるようにして着脱可能なものでも良い。更に布製の代わりにマジックテープで折り返して固定されるようにしたものでも良い。【００１５】  横固定用伸縮ベルト（３ｃ、３ｃ）は、二つの部材からなりその一方の中央部に設けた長さ調整機能付きストッパー部材（７ａ）で二つの���縮ベルトを結合させて締めて、電気掃除機の胴部を水平に固定する。また、本横固定用伸縮ベルトは、全体で一本のものでもよく、その場合はその一方の先端は、取り付け部（２ａ）に固定し、その中央部に長さ調整機能用ストッパーを取り付け、他端を（２ｂ）に通して折り返してストッパーで締め電気掃除機を水平に固定しても良い。【００１６】  背負いバンドは、（Ａ）の上部中央の背負いバンド取り付け部（４ａ）に、背負いバンドに設けた外れ止めフック（６ａ）を上部中央の（４ａ）に直接引っ掛ける。左右肩用肩あて（９）をつけた長さ調整ベルト（１１）の下部に長さ調整機能付き部材（１０）を設け、さらに最下部に外れ止めフック（６ｂ）を付け、それぞれ下部左右の背負いバンド取り付け部（４ｂ）に（６ｂ）を直接引っ掛けて背負い部を構成する。更に（６ｂ）の部分において背負い具と人体腰部を密着する腰部ベルト（１２）を取り付け、体の前で締め、背負い具を人体に固定する。これを背負いバンドとする。バンド部は、一般のナップサックやハイキング用リュックサックのバンドと同様に若干幅広の帯状のもので肩や背に負担のかからないものであれば良い。腰部ベルトは、ベルト状又はひも状のものであればよく、固定はマジックテープ、ベルトなどの止め具、単なる結び等任意のものが使用される。
【図面の簡単な説明】
【００１７】
【図１】  使用状態を表す側面図
【図２】  Ｌ字型背負い具本体正面斜視図（電気掃除機搭載箇所）
【図３】  Ｌ字型本体背負い具背面斜視図
【図４】  電気掃除機縦固定用Ｙ字型伸縮ベルト
【図５】  電気掃除機横固定用伸縮ベルト
【図６】  取り付け背負いバンド
【図７】  電気掃除機の本背負い具への装着図
【図８】  電気掃除機が取り付けられた状態の底面図
【符号の説明】
【００１８】Ａ：Ｌ字型背負い具
１ａ：  縦固定用Ｙ字型伸縮ベルト取り付け部
１ｂ：  縦固定用Ｙ字型伸縮ベルト取り付け部
２ａ：  横固定用伸縮ベルト取り付け部
２ｂ：  横固定用伸縮ベルト取り付け部
３ａ：  縦固定用Ｙ字型伸縮ベルト分岐部
３ｂ：  縦固定用Ｙ字型伸縮ベルト直線部
３ｃ：  一対の横固定用伸縮ベルト
４ａ：  背負いバンド上端取り付け部
４ｂ：  背負いバンド下端取り付け部
５ａ：  乙型湾曲部
６ａ：  外れ止めフック
６ｂ：  外れ止めフック
７ａ：  長さ調整機能付きストッパー部材
９：    左右肩用肩あて
１０：  長さ調整機能付き部材
１１：  長さ調整バンド
１２：  腰部ベルト
【図１】
2006305248.tif 000003
【図２】
2006305248.tif 000004
【図３】
2006305248.tif 000005
【図４】
2006305248.tif 000006
【図５】
2006305248.tif 000007
【図６】
2006305248.tif 000008
【図７】
2006305248.tif 000009
【図８】
2006305248.tif 000010